(57)【要約】  【課題】  ＳＡＣＤに対するレジューム再生やリピート再生あるいはタイムサーチを精度良く行える光ディスク再生装置を提供する。  【解決手段】  挿入された光ディスク１がＳＡＣＤであることをＳＡＣＤ認識手段１１１により認識されると、ディスク情報のアクセスリストの有無がアクセスリスト有無判定手段１１２により判定され、前記アクセスリストが有ると判定された場合に、アクセスリストがアクセスリスト取得手段１１３により取得される。例えばタイムサーチ要求が発生した時に、時間情報が時間情報取得手段１１５により取得され、アクセスリスト有無判定手段１１２によりアクセスリストが有ると判定された場合に、前記アクセスリストを用いて前記時間情報がアドレス情報にアドレス変換手段１１６により変換され、前記変換されたアドレス情報のアドレスから再生が再生開始手段１１７により開始される。【選択図】      図１
2005166181.tif 000002
【特許請求の範囲】
【請求項１】
２重層から構成されるハイブリッド型のＳＡＣＤ（スーパー・オーディオ・コンパクト
・ディスク）に対しても再生することができる光ディスク再生装置において、挿入された
光ディスクがＳＡＣＤであった場合にＳＡＣＤであることを認識するＳＡＣＤ認識手段と
、前記ＳＡＣＤであると認識された後にディスク情報のアクセスリストの有無を判定する
アクセスリスト有無判定手段と、前記アクセスリストが有ると判定された場合にアクセス
リストを取得するアクセスリスト取得手段とを有するアクセスリスト取得制御部を備える
と共に、レジューム再生要求やリピート再生要求あるいはタイムサーチ要求が発生した時
に時間情報を取得する時間情報取得手段と、前記時間情報を取得した後に前記アクセスリ
スト有無判定手段によりアクセスリストが有ると判定された場合に前記アクセスリストを
用いて前記時間情報からアドレス情報に変換するアドレス変換手段と、前記変換されたア
ドレス情報のアドレスから再生を開始させる再生開始手段とを有する再生制御部を備えた
システムコントローラを具備したことを特徴とする光ディスク再生装置。
【請求項２】
２重層から構成されるハイブリッド型のＳＡＣＤ（スーパー・オーディオ・コンパクト
・ディスク）に対しても再生することができる光ディスク再生装置において、挿入された
光ディスクがＳＡＣＤであり、ディスク情報のアクセスリストが有る場合に、レジューム
再生要求やリピート再生要求あるいはタイムサーチ要求が発生した時に、前記アクセスリ
ストを用いて時間情報からアドレス情報に変換するシステムコントローラを具備したこと
を特徴とする光ディスク再生装置。
【請求項３】
前記システムコントローラは、挿入された光ディスクがＳＡＣＤであった場合にＳＡＣ
Ｄであることを認識するＳＡＣＤ認識手段と、前記ＳＡＣＤであると認識された後にディ
スク情報のアクセスリストの有無を判定するアクセスリスト有無判定手段と、前記アクセ
スリストが有ると判定された場合にアクセスリストを取得するアクセスリスト取得手段と
を有するアクセスリスト取得制御部を備えことを特徴とする請求項２に記載の光ディスク
再生装置。
【請求項４】
前記システムコントローラは、レジューム再生要求やリピート再生要求あるいはタイム
サーチ要求が発生した時に時間情報を取得する時間情報取得手段と、前記時間情報を取得
した後に前記アクセスリスト有無判定手段によりアクセスリストが有ると判定された場合
に前記アクセスリストを用いて前記時間情報からアドレス情報に変換するアドレス変換手
段と、前記変換されたアドレス情報のアドレスから再生を開始させる再生開始手段とを有
する再生制御部を備えたことを特徴とする請求項３に記載の光ディスク再生装置。
【発明の詳細な説明】
【技術分野】
【０００１】
本発明は、２重層から構成されるハイブリッド型のＳＡＣＤ（スーパー・オーディオ・
コンパクト・ディスク）に対しても再生することができる光ディスク再生装置に関する。
【背景技術】
【０００２】
近年、ＣＤよりも大容量の新たな光ディスクであるＤＶＤ（Digital Versatile Disc）
が普及してきている。このＤＶＤは、例えば直径１２ｃｍの光ディスクに従来のＣＤのト
ラックピッチ１．６μｍの半分の０．８μｍで情報を記録し、半導体レーザの波長をＣＤ
の７８０ｎｍから６３０ｎｍに変更し、更にＣＤで採用されたＥＦＭ(Eight to Fourteen
Modulation)変調方式に改良を加えて片面で約４Ｇバイト相当の高密度記録を実現させて
いる。また、最近普及しつつあるＳＡＣＤにおいては、記録層として２つの層（ＤＶＤ層
とＣＤ層の２枚重ねタイプや、ＤＶＤ層とＤＶＤ層の２枚重ねタイプ）を備えている。
【０００３】
ＳＡＣＤが、例えば、ＤＶＤ層とＣＤ層の２枚重ねタイプの光ディスクであった場合、
一方の層であるＣＤ層には例えば４４．１ＫＨｚでサンプリングされた１６ビットデジタ
ルオーディオ信号が記録され、他方の層であるＨＤ層には例えば２．８４２ＭＨｚでシグ
マΔ変調された１ビットデジタルオーディオ信号が記録される。そして、ＨＤ層は、２チ
ャンネルエリアとマルチチャンネルエリアとに区分されている。
【０００４】
ところで、従来から光ディスク再生装置においては、ＳＡＣＤに対する再生動作を中断
して、その後、再び再生動作を行った場合に、再生中断位置から再び再生を開始させるレ
ジューム再生機能や、再生位置Ａから再生位置Ｂまでの区間をリピート再生するリピート
再生機能などを有している。
【特許文献１】特開２００１−５７００７号公報
【特許文献２】特開２００１−１６７５０２号公報
【特許文献３】特開２００３−１５１２４５号公報
【発明の開示】
【発明が解決しようとする課題】
【０００５】
このような従来の光ディスク再生装置において、ＳＡＣＤに対する再生中断位置から再
び再生を開始させるレジューム再生機能は、ＳＡＣＤに記録された情報を読み取るための
光ピックアップを、再生動作が停止したときの位置に留めておいて、再生動作の再開が指
示されたときに、直ちに停止位置から再生動作を開始することにより、実現されている。
【０００６】
しかしながら、再生動作を完全に停止して電源をオフした場合などにおいては、光ピッ
クアップは再生動作前の元の位置に戻される。したがって、このような場合に、ＳＡＣＤ
に対する再生中断位置から再生動作を開始するためには、ユーザは光ディスク再生装置に
対して、再生、早送り、巻き戻し等の各種の操作を行って、再生中断位置からの再生動作
を行わせているので、操作が煩雑になり、使い勝ってが劣っていた。
【０００７】
また、再生位置Ａから再生位置Ｂまでの区間をリピート再生するリピート再生機能につ
いても、ユーザは光ディスク再生装置に対して、巻き戻し、再生、早送り等の各種の操作
を行って、リピート再生動作を行わせているので、操作が煩雑になり、使い勝ってが劣っ
ていた。なお、入力された時間情報に従って再生開始位置を設定して再生動作させるタイ
ムサーチ機能は、時間情報をアドレス情報に変換する必要があるので、このようなＳＡＣ
Ｄを再生する従来の光ディスク再生装置では実現できなかった。
【０００８】
なお、特許文献１，２，３の従来技術では、ＳＡＣＤも再生することができる光ディス
ク再生装置においての時間情報からアドレス情報への変換処理については開示されていな
いので、上記のような課題を解決できるものではない。
【０００９】
本発明は、上記のような課題を解決するためになされたもので、ＳＡＣＤに対するレジ
ューム再生やリピート再生あるいはタイムサーチを精度良く行える光ディスク再生装置を
提供することを目的とする。
【課題を解決するための手段】
【００１０】
上記目的を達成するために、請求項１の発明は、２重層から構成されるハイブリッド型
のＳＡＣＤ（スーパー・オーディオ・コンパクト・ディスク）に対しても再生することが
できる光ディスク再生装置において、挿入された光ディスクがＳＡＣＤであった場合にＳ
ＡＣＤであることを認識するＳＡＣＤ認識手段と、前記ＳＡＣＤであると認識された後に
ディスク情報のアクセスリストの有無を判定するアクセスリスト有無判定手段と、前記ア
クセスリストが有ると判定された場合にアクセスリストを取得するアクセスリスト取得手
段とを有するアクセスリスト取得制御部を備えると共に、レジューム再生要求やリピート
再生要求あるいはタイムサーチ要求が発生した時に時間情報を取得する時間情報取得手段
と、前記時間情報を取得した後に前記アクセスリスト有無判定手段によりアクセスリスト
が有ると判定された場合に前記アクセスリストを用いて前記時間情報からアドレス情報に
変換するアドレス変換手段と、前記変換されたアドレス情報のアドレスから再生を開始さ
せる再生開始手段とを有する再生制御部を備えたシステムコントローラを具備したことを
特徴とする光ディスク再生装置を提供する。
【００１１】
この構成において、挿入された光ディスクがＳＡＣＤであることをＳＡＣＤ認識手段に
より認識されると、ディスク情報のアクセスリストの有無がアクセスリスト有無判定手段
に判定され、前記アクセスリストが有ると判定された場合に、アクセスリストがアクセス
リスト取得手段により取得される。
【００１２】
レジューム再生要求やリピート再生要求あるいはタイムサーチ要求が発生した時に、時
間情報が時間情報取得手段により取得される。前記時間情報を取得した後に、前記アクセ
スリスト有無判定手段によりアクセスリストが有ると判定された場合に、前記アクセスリ
ストを用いて前記時間情報がアドレス情報にアドレス変換手段により変換され、前記変換
されたアドレス情報のアドレスから再生が再生開始手段により開始される。
【００１３】
この構成によれば、ディスク情報のアクセスリストを用いて時間情報からアドレス情報
に変換するので、正確なアドレスを取得でき、ＳＡＣＤに対するレジューム再生やリピー
ト再生あるいはタイムサーチを精度良く行うことができる。
【００１４】
請求項２の発明は、２重層から構成されるハイブリッド型のＳＡＣＤに対しても再生す
ることができる光ディスク再生装置において、挿入された光ディスクがＳＡＣＤであり、
ディスク情報のアクセスリストが有る場合に、レジューム再生要求やリピート再生要求あ
るいはタイムサーチ要求が発生した時に、前記アクセスリストを用いて時間情報からアド
レス情報に変換するシステムコントローラを具備したことを特徴とする光ディスク再生装
置を提供する。
【００１５】
この構成において、挿入された光ディスクがＳＡＣＤであり、ディスク情報のアクセス
リストが有る場合に、レジューム再生要求やリピート再生要求あるいはタイムサーチ要求
が発生した時に、前記アクセスリストを用いて時間情報からアドレス情報に変換される。
【００１６】
この構成によれば、ディスク情報のアクセスリストを用いて時間情報からアドレス情報
に変換するので、正確なアドレスを取得でき、ＳＡＣＤに対するレジューム再生やリピー
ト再生あるいはタイムサーチを精度良く行うことができる。
【００１７】
請求項３の発明では、請求項２の発明において、システムコントローラは、挿入された
光ディスクがＳＡＣＤであった場合にＳＡＣＤであることを認識するＳＡＣＤ認識手段と
、前記ＳＡＣＤであると認識された後にディスク情報のアクセスリストの有無を判定する
アクセスリスト有無判定手段と、前記アクセスリストが有ると判定された場合にアクセス
リストを取得するアクセスリスト取得手段とを有するアクセスリスト取得制御部を備えた
ので、挿入された光ディスクがＳＡＣＤであった場合、ＳＡＣＤであることを認識でき、
そして、アクセスリストが有ると判定された場合にアクセスリストを取得することができ
る。したがって、アクセスリストを正確に取得することができるようになる。
【００１８】
請求項４の発明では、請求項３の発明において、システムコントローラは、レジューム
再生要求やリピート再生要求あるいはタイムサーチ要求が発生した時に時間情報を取得す
る時間情報取得手段と、前記時間情報を取得した後に前記アクセスリスト有無判定手段に
よりアクセスリストが有ると判定された場合に前記アクセスリストを用いて前記時間情報
からアドレス情報に変換するアドレス変換手段と、前記変換されたアドレス情報のアドレ
スから再生を開始させる再生開始手段とを有する再生制御部を備えたので、レジューム再
生要求やリピート再生要求あるいはタイムサーチ要求が発生した時に時間情報を取得でき
、アクセスリストが有ると判定された場合に前記アクセスリストを用いて前記時間情報か
らアドレス情報に変換することができ、前記変換されたアドレス情報のアドレスから再生
を開始させることができる。したがって、レジューム再生やリピート再生あるいはタイム
サーチの精度を高めることができるようになる。
【発明の効果】
【００１９】
以上のように本発明によれば、２重層から構成されるハイブリッド型のＳＡＣＤに対し
ても再生することができる光ディスク再生装置において、挿入された光ディスクがＳＡＣ
Ｄであった場合にＳＡＣＤであることを認識するＳＡＣＤ認識手段と、前記ＳＡＣＤであ
ると認識された後にディスク情報のアクセスリストの有無を判定するアクセスリスト有無
判定手段と、前記アクセスリストが有ると判定された場合にアクセスリストを取得するア
クセスリスト取得手段とを有するアクセスリスト取得制御部を備えると共に、レジューム
再生要求やリピート再生要求あるいはタイムサーチ要求が発生した時に時間情報を取得す
る時間情報取得手段と、前記時間情報を取得した後に前記アクセスリスト有無判定手段に
よりアクセスリストが有ると判定された場合に前記アクセスリストを用いて前記時間情報
からアドレス情報に変換するアドレス変換手段と、前記変換されたアドレス情報のアドレ
スから再生を開始させる再生開始手段とを有する再生制御部を備えたシステムコントロー
ラを具備したので、時間情報からアドレス情報に変換した正確なアドレスを取得でき、Ｓ
ＡＣＤに対するレジューム再生やリピート再生あるいはタイムサーチを精度良く行うこと
ができ、ユーザにとっては使い勝手が良くなる。
【００２０】
また、本発明によれば、２重層から構成されるハイブリッド型のＳＡＣＤに対しても再
生することができる光ディスク再生装置において、挿入された光ディスクがＳＡＣＤであ
り、ディスク情報のアクセスリストが有る場合に、レジューム再生要求やリピート再生要
求あるいはタイムサーチ要求が発生した時に、前記アクセスリストを用いて時間情報から
アドレス情報に変換するシステムコントローラを具備したので、時間情報からアドレス情
報に変換した正確なアドレスを取得でき、ＳＡＣＤに対するレジューム再生やリピート再
生あるいはタイムサーチを精度良く行うことができ、ユーザにとっては使い勝手が良くな
る。
【発明を実施するための最良の形態】
【００２１】
以下、添付図面を参照しつつ、本発明の実施の形態について説明する。図１は本発明の
一実施形態に係る光ディスク再生装置の構成を示すブロック図である。
【００２２】
この光ディスク再生装置は、光ピックアップ３、ＲＦアンプ４、エラー訂正／デコーダ
回路７、メモリコントローラ８、バッファメモリ９、Ｄ／Ａ変換回路１０、システムコン
トローラ１１、サーボ回路５、駆動回路６、スピンドルモータ２、操作部１２、および表
示部１３を備えている。
【００２３】
光ピックアップ３は、図示しない対物レンズ、２軸機構、半導体レーザ、および前記半
導体レーザの出射光が光ディスク１の表面で反射して反射光を受光する受光部を含み構成
されている。光ディスク再生装置の図示しないターンテーブルに載置されている光ディス
ク１がハイブリッド構成を有するＳＡＣＤの場合、光ピックアップ３は、例えばＣＤ層の
エリアを再生するときには、７８０ｎｍの波長を出射する半導体レーザが用いられ、ＨＤ
層を再生する場合は６８０ｎｍの短波長の半導体レーザが用いられるように光路を切り換
える。
【００２４】
また、光ピックアップ３には、図示しない２つの対物レンズが備えられ、ＣＤ層のエリ
アを再生する場合には開口率０．４５のレンズが用いられ、ＨＤ層のエリアを再生する場
合は開口率０．６のレンズが用いられるように、光路を切り換える。光ディスク再生装置
に装填された光ディスク１がＣＤの場合は、ハイブリッド型の光ディスクであるＳＡＣＤ
のＣＤ層のエリアを再生する場合と同様となる。
【００２５】
なお、ホログラム一体型非球面レンズを用いれば、上述したような光ピックアップ３内
部に２つの対物レンズを設ける必要が無く、１つのレンズで半導体レーザの光路を切り換
えるのみで構成できるので、このような構成を有する光ピックアップを用いても良い。
【００２６】
光ピックアップ３の２軸機構には、対物レンズを光ディスク１に接離する方向に駆動す
るフォーカス用コイル（図示せず）と、前記対物レンズを光ディスク１の半径方向に駆動
するトラッキング用コイル（図示せず）とが形成されている。また、この光ディスク再生
装置には、光ピックアップ３全体を光ディスク１の半径方向に大きく移動させるスレッド
モータ（図示せず）が備えられている。
【００２７】
光ピックアップ３内の受光部にて検知した反射光はＲＦアンプ４に供給され、このＲＦ
アンプ４での電流／電圧変換、マトリクス演算処理により、フォーカスエラー信号および
トラッキングエラー信号が生成されると共に再生情報としてのＲＦ信号が生成される。
【００２８】
前記生成されたフォーカスエラー信号およびトラッキングエラー信号は、サーボ回路５
にて位相補償、利得調整をされた後に駆動回路６を介してフォーカス用コイルとトラッキ
ング用コイルとに印加される。更に、トラッキングエラー信号はサーボ回路５内のローパ
スフィルタを介することによりスレッドエラー信号を生成し、このスレッドエラー信号は
駆動回路６を介して図示しないスレッドモータに印加される。
【００２９】
更に、ＲＦアンプ４にて生成されたＲＦ信号は、載置されている光ディスク１がＣＤの
場合は、エラー訂正／デコーダ回路７において、２値化してＥＦＭ復調を行うと共にＣＩ
ＲＣ（Cross Interleave Read solomon Coding）によるエラー訂正処理を行った後にメモ
リコントローラ８に入力される。
【００３０】
一方、ターンテーブルに載置されている光ディスク１がハイブリッド型の光ディスクで
あるＳＡＣＤの場合において、ＣＤ層のエリアを再生する場合には、ＣＤの場合と同様に
エラー訂正／デコーダ回路７において、２値化、ＥＦＭ復調、ＣＩＲＣエラー訂正処理が
行われてメモリコントローラ８に供給される。
【００３１】
ハイブリッド型の光ディスクであるＳＡＣＤのＨＤ層のエリアを再生する場合には、エ
ラー訂正／デコーダ回路７において２値化してＥＦＭ−Ｐｌｕｓ復調を行うと共に積符号
（product code）に基づくエラー訂正処理が行われることになる。
【００３２】
また、エラー訂正／デコーダ回路７では、２値化したＥＦＭ信号もしくはＥＦＭプラス
信号の基準クロックとの比較により速度エラー信号および位相エラー信号を生成して駆動
回路６に供給することで光ディスク１をスピンドルモータ２にて回転制御する。更に、エ
ラー訂正／デコーダ回路７では、２値化したＥＦＭ信号またはＥＦＭプラス信号に基づい
てＰＬＬ（Phase Locked Loop ）の引き込み動作を制御する。
【００３３】
エラー訂正後の２値化データは、メモリコントローラ８を介して所定の転送レートでバ
ッファメモリ９に書き込まれる。バッファメモリ９に所定量以上のデータが蓄積されたら
バッファメモリ９から書き込みの転送レートより十分遅い第２の転送レートにて読み出し
を行う。このようにバッファメモリ９に一旦データを蓄えてからオーディオデータとして
出力するようにしたので、例えば、振動などの外乱によってトラックジャンプが生じて光
ピックアップ３からの連続したデータ読み出しが途絶えたとしても、光ピックアップ３の
トラックジャンプが発生したアドレスへの再配置に要する時間に相当するデータは予めバ
ッファメモリ９に蓄積されているので、オーディオ出力としては連続したオーディオデー
タ出力が実現できる。
【００３４】
なお、メモリコントローラ８は、システムコントローラ１１によって制御されている。
メモリコントローラ８によって、バッファメモリ９から読み出されたデジタルデータはＤ
／Ａコンバータ１０にてアナログオーディオ信号に変換され、右チャンネル音声出力と左
チャンネル音声出力として出力される。
【００３５】
システムコントローラ１１は、操作部１２の各種操作キーの操作に応じて各種サーボ用
のコマンドをサーボ回路５に転送したり、メモリコントローラ８に対してバッファメモリ
９の制御の指令を与えたり、演奏経過時間や再生しているプログラムのタイトルなどの文
字情報の表示を表示部１３に表示するように制御を行ったり、エラー訂正／デコーダ回路
７でのスピンドルサーボ制御やデコーダ制御を行ったりする。
【００３６】
本実施形態におけるシステムコントローラ１１は、フロントエンド１１０を備え、この
フロントエンド１１０は、挿入された光ディスクがＳＡＣＤであった場合にＳＡＣＤであ
ることを認識するＳＡＣＤ認識手段１１１と、前記ＳＡＣＤであると認識された後にディ
スク情報のアクセスリストの有無を判定するアクセスリスト有無判定手段１１２と、前記
アクセスリストが有ると判定された場合にアクセスリストを取得するアクセスリスト取得
手段１１３とを有するアクセスリスト取得制御部１１４を備えている。
【００３７】
また、フロントエンド１１０は、レジューム再生要求やリピート再生要求あるいはタイ
ムサーチ要求が発生した時に時間情報を取得する時間情報取得手段１１５と、前記時間情
報を取得した後に前記アクセスリスト有無判定手段１１２によりアクセスリストが有ると
判定された場合に前記アクセスリストを用いて前記時間情報からアドレス情報に変換する
アドレス変換手段１１６と、前記変換されたアドレス情報のアドレスから再生を開始させ
る再生開始手段１１７とを有する再生制御部１１８を備えている。
【００３８】
図２はＳＡＣＤにおけるディスクエリア２０の構造を示す図である。このディスクエリ
ア２０は、ファイルシステムエリア２１、ＤＴＣＰ（ディスク製造者情報）エリア２２、
マスターＴＯＣ（Table Of Contents）エリア２３、２チャンネルエリア２４、マルチチ
ャンネルエリア２５、およびエクストラデータエリア２６などから構成される。マスター
ＴＯＣエリア２３には、ディスク全体の情報、例えば、２チャンネルのスタートアドレス
、マルチチャンネルのスタートアドレス、その他の情報が書かれている。マスターＴＯＣ
エリア２３のマスターＴＯＣから得られた２チャンネルのスタートアドレスからオーディ
オエリア３０（図３参照）に飛び、例えば５４４セクタ目にＴＯＣ−１エリア３１、トラ
ックエリア３２、ＴＯＣ−２エリア３３などがある。
【００３９】
図３は図２中の例えば２チャンネルエリア２４内のオーディオエリアの構造を示す図で
ある。このオーディオエリア３０は、前述したように例えば５４４セクタ目からのＴＯＣ
−１エリア３１、トラックエリア３２、およびＴＯＣ−２エリア３３などから構成される
。
【００４０】
図４は図３中の例えばＴＯＣ−１エリア３１内のＴＯＣエリアの構造を示す図である。
このＴＯＣエリア４０は、ＴＯＣ＿０のエリア４１、Ｔｒａｃｋ＿Ｌｉｓｔ＿１のエリア
４２、Ｔｒａｃｋ＿Ｌｉｓｔ＿２のエリア４３、ＩＳＲＣ＿ａｎｄ＿Ｇｅｎｒｅ＿Ｌｉｓ
ｔのエリア４４、アクセスリストのエリア４５、トラックテキストのエリア４６、インデ
ックスリストのエリア４７、およびトラックウェブリンクリストのエリア４８などから構
成される。
【００４１】
Ｔｒａｃｋ＿Ｌｉｓｔ＿１のエリア４２には、スタートアドレスやトラック内のデータ
の長さが書き込まれている。Ｔｒａｃｋ＿Ｌｉｓｔ＿２のエリア４３には、スタートアド
レスに対応する各トラックのスタート時間と各トラックの再生時間が書き込まれている。
ＩＳＲＣ＿ａｎｄ＿Ｇｅｎｒｅ＿Ｌｉｓｔのエリア４４には、ディスクの国コード、ディ
スクの記録日、ディスクのジャンルなどが書き込まれている。アクセスリストのエリア４
５には、時間情報をアドレス情報に変換するためのテーブルが書き込まれている。トラッ
クテキストのエリア４６には、トラック名などが書き込まれている。インデックスリスト
４７のエリア４７には、インデックス名などが書き込まれている。トラックウェブリンク
リストのエリア４８には、インターネットで当該トラックに取得できる情報のリストが書
き込まれる。
【００４２】
図５は図２中のマスターＴＯＣエリア２３の構造を示す図である。このマスターＴＯＣ
エリア２３は、マスターＴＯＣ１のエリア５１、マスターＴＯＣ２のエリア５２、および
マスターＴＯＣ５３のエリア５３などから構成される。このマスターＴＯＣエリア２３の
後には、オーディオエリア３０が設けられている。
【００４３】
図６は本実施形態において用いられるアクセスリストの構造を示す図である。このアク
セスリストにおいて、Ａｃｃｅｓｓ＿Ｌｉｓｔ＿Ｓｉｇｎａｔｕｒｅは、アクセスリスト
の最初のセクタを識別する８バイトの文字列である。Ａｃｃｅｓｓ＿Ｌｉｓｔ＿Ｓｉｇｎ
ａｔｕｒｅの値は、ＳＡＣＤ＿ＡＯＣでなければならない。
【００４４】
Ｎ＿Ｅｎｔｒｉｅｓは、Ｍａｉｎ＿Ａｃｃ＿Ｌｉｓｔのエントリー数を含んでいる。Ｎ
＿ＥｎｔｒｉｅｓとＴｏｔａｌ＿Ａｒｅａ＿Ｐｌａｙ＿ＴｉｍｅおよびＭａｉｎ＿Ｓｔｅ
ｐ＿Ｓｉｚｅの関係は、次の式（１）にて定義される。
【００４５】
Ｎ＿Ｅｎｔｒｉｅｓ＝１＋ｔｒｕｎｃ〔（Ｔｏｔａｌ＿Ａｒｅａ＿Ｐｌａｙ＿Ｔｉｍｅ
）÷（Ｍａｉｎ＿Ｓｔｅｐ＿Ｓｉｚｅ）〕          ・・・（１）
この式（１）において、Ｔｏｔａｌ＿Ａｒｅａ＿Ｐｌａｙ＿Ｔｉｍｅはフレームの中で
表現される。Ｎ＿Ｅｎｔｒｉｅｓの最大の許可された値は例えば６５５０である。
【００４６】
前記Ｍａｉｎ＿Ｓｔｅｐ＿Ｓｉｚｅについて説明する。Ｔｒａｃｋ＿Ａｒｅａは、トラ
ックエリアの（Ｎ＋１）間隔であるＩｎｔｅｒｖａｌ〔Ｎ〕と共にＭａｉｎ＿Ｓｔｅｐ＿
Ｓｉｚｅフレームの間隔に分割される。全てのＭａｉｎ＿Ｓｔｅｐ＿Ｓｉｚｅフレームに
ついては、多重フレームの先頭番地がＭａｉｎ＿Ａｃｃ＿Ｌｉｓｔの中でコード化される
。Ｍａｉｎ＿Ｓｔｅｐ＿Ｓｉｚｅは例えば１０の倍数であり、Ｍａｉｎ＿Ｓｔｅｐ＿Ｓｉ
ｚｅの最小の許可された値は例えば１０である。また、Ｍａｉｎ＿Ｓｔｅｐの最大の許可
された値は例えば１８０である。
【００４７】
図７は図６中に示すＭａｉｎ＿Ａｃｃ＿Ｌｉｓｔの構造を示す図である。このＭａｉｎ
＿Ａｃｃ＿Ｌｉｓｔは、Ｍａｉｎ＿Ｓｔｅｐ＿Ｓｉｚｅフレームの間隔で多重フレームの
先頭番地を含んでいる。各コード化された先頭番地については、Ｍａｉｎ＿Ａｃｃ＿Ｌｉ
ｓｔが、中間の先頭番地を評価する修正要因あるいは詳細なアクセスリスト（Ｄｅｔａｉ
ｌ＿Ｌｉｓｔ）へのポインタの何れかを含んでいる。
【００４８】
図８は図７中のＡｃｃｅｓｓ＿Ｆｌａｇｓが定義されるアクセスリストの構造を示す図
である。図８において、Ａｃｃｅｓｓ＿Ｆｌａｇｓ〔Ｎ〕は、Ｉｎｔｅｒｖａｌ〔Ｎ〕の
ために詳細なアクセスリスト（Ｄｉｔａｉｌｅｄ＿Ｌｉｓｔ）へのポインタ、あるいは与
えられた時間コードのための先頭番地を詳細するために必要なＡｃｃｅｓｓ＿Ｍａｒｇｉ
ｎの何れかを含んでいる。Ａｃｃｅｓｓ＿Ｆｌａｇｓの構造は、図８のアクセスリストで
定義される。
【００４９】
図８におけるＤｅｔａｉｌｅｄ〔Ｎ〕がＩｎｔｅｒｖａｌ〔Ｎ〕に対して１にセットさ
れる場合、Ｄｅｔａｉｌｅｄ＿ＬｉｓｔはＤｅｔａｉｌｅｄ＿Ａｃｃｅｓｓの中でコード
化される。Ｄｅｔａｉｌｅｄ＿Ｌｉｓｔがコード化される場合、Ｉｎｔｅｒｖａｌ〔Ｎ〕
の中の時間コードのための先頭番地はＤｅｔａｉｌｅｄ＿Ｌｉｓｔ〔Ｎ〕の使用により評
価することができる。
【００５０】
Ｄｅｔａｉｌｅｄ〔Ｎ〕が０にセットされる場合、Ｉｎｔｅｒｖａｌ〔Ｎ〕では、先頭
番地は、Ａｃｃｅｓｓ＿Ｍａｒｇｉｎ〔Ｎ〕で修正済みの線形書き込みによって評価され
る。オーディオエリアの最後の間隔については、Ｄｅｔａｉｌｅｄ〔Ｎ〕が０にセットさ
れる。なお、Ｍａｉｎ＿Ａｃｃ＿Ｌｉｓｔは、１にセットされたＤｅｔａｉｌｅｄ〔Ｎ〕
を備えた最大の例えば１２１３Ａｃｃｅｓｓ＿Ｆｌａｇｓを含むことができる。
【００５１】
Ｄｅｔａｉｌｅｄ＿Ｌｉｓｔ＿Ｐｔｒ〔Ｎ〕は、Ｄｅｔａｉｌｅｄ＿Ａｃｃｅｓｓの内
のＤｅｔａｉｌｅｄ＿Ｌｉｓｔ〔Ｎ〕のバイト位置を含んでいる。Ｍａｉｎ＿Ａｃｃ＿Ｌ
ｉｓｔの中の最初のＤｅｔａｉｌｅｄ＿Ｌｉｓｔ＿Ｐｔｒの値は０である。
【００５２】
Ａｃｃｅｓｓ＿Ｍａｒｇｉｎ〔Ｎ〕は、Ｅｎｔｒｙ〔Ｎ〕とＥｎｔｒｙ〔Ｎ＋１〕の間
の評価された先頭番地の計算のための修正要因を含んでいる。与えられた時間コードＴの
ための評価された先頭番地は次の式（２）で計算することができる。
【００５３】
評価された先頭番地〔Ｔ〕＝ｍａｘ（Ｅｎｔｒｙ〔Ｎ〕，Ｉｎｔｅｒｐ＿Ａｄｄｒｅｓ
ｓ〔Ｔ〕−Ａｃｃｅｓｓ＿Ｍａｒｇｉｎ〔Ｎ〕）      ・・・  （２）
Ｎ＝ｔｒｕｎｃ〔Ｔ／（Ｍａｉｎ＿Ｓｔｅｐ＿Ｓｉｚｅ）〕  ・・・  （３）
但し、Ｔはフレームの中で表現された時間コードを示す。
【００５４】
Ｉｎｔｅｒｐ＿Ａｄｄｒｅｓｓ〔Ｔ〕＝Ｅｎｔｒｙ〔Ｎ〕＋ｔｒｕｎｃ〔（Ｔ  ｍｏｄ
Ｍａｉｎ＿Ｓｔｅｐ＿Ｓｉｚｅ）×（Ｅｎｔｒｙ〔Ｎ＋１〕−Ｅｎｔ  ｒｙ〔Ｎ〕）÷
（Ｍａｉｎ＿Ｓｔｅｐ＿Ｓｉｚｅ）〕    ・・・  （４）
Ａｃｃｅｓｓ＿Ｍａｒｇｉｎ〔Ｎ〕は、Ｉｎｔｅｒｖａｌ〔Ｎ〕内の全てのフレームの
（Ｉｎｔｅｒｐ＿Ａｄｄｒｅｓｓ〔Ｔ〕―Ｓｔａｒｔ＿Ａｄｄｒｅｓｓ〔Ｔ〕）の最大の
値を含んでいる。ここで先頭番地〔Ｔ〕は多重フレームＴの先頭番地である。
【００５５】
トラックエリアの最後のＩｎｔｅｒｖａｌについては、Ｉｎｔｅｒｐ＿Ａｄｄｒｅｓｓ
〔Ｔ〕のための異なる計算方法が使用される。
【００５６】
Ｉｎｔｅｒｐ＿Ａｄｄｒｅｓｓ〔Ｔ〕＝Ｅｎｔｒｙ〔Ｎｌａｓｔ〕＋ｔｒｕｎｃ〔（Ｔ
ｍｏｄ  Ｍａｉｎ＿Ｓｔｅｐ＿Ｓｉｚｅ）×（Ｔｒａｃｋ＿Ａｒｅａ＿Ｅｎｄ＿Ａｄｄｒ
ｅｓｓ−Ｅｎｔｒｙ〔Ｎｌａｓｔ〕）÷[１＋（（Ｔｏｔａｌ＿Ａｒｅａ＿Ｐｌａｙ＿Ｔ
ｉｍｅ−１）ｍｏｄ  Ｍａｉｎ＿Ｓｔｅｐ＿Ｓｉｚｅ）]〕        ・・・  （５）
なお、Ｔｏｔａｌ＿Ａｒｅａ＿Ｐｌａｙ＿Ｔｉｍｅは、フレームの中で表現されたオー
ディオエリアの再生時間の合計である。Ｅｎｔｒｙ〔Ｎ〕は、多重フレーム〔Ｎ*Ｍａｉ
ｎ＿Ｓｔｅｐ＿Ｓｉｚｅ〕のスタートアドレスを含んでいる。
【００５７】
図９はＤｅｔａｉｌｅｄ＿Ａｃｃｅｓｓの構造を示す図である。Ｄｅｔａｉｌｅｄ＿Ａ
ｃｃｅｓｓは、１にセットされたＤｅｔａｉｌｅｄ〔Ｎ〕を備えたＭａｉｎ＿Ａｃｃ＿Ｌ
ｉｓｔに各Ｅｎｔｒｙ〔Ｎ〕の１つのＤｅｔａｉｌｅｄ＿Ｌｉｓｔを含んでいる。Ｄｅｔ
ａｉｌｅｄ＿ＬｉｓｔがＩｎｔｅｒｖａｌ〔Ｎ〕に対してコード化される場合、先頭番地
はＩｎｔｅｒｖａｌ〔Ｎ〕の中の例えば９個のタイムコードのためにＤｅｔａｉｌｅｄ＿
Ｌｉｓｔ〔Ｎ〕から検索することができる。但し、Ｄｅｔａｉｌｅｄ＿Ａｃｃｅｓｓは例
えば最大１２１３のＤｅｔａｉｌｅｄ＿Ｌｉｓｔを含むことができる。
【００５８】
図１０はＤｅｔａｉｌｅｄ＿Ｌｉｓｔの構造を示す図である。図１０において、Ｄｅｔ
ａｉｌｅｄ＿Ｌｉｓｔ〔Ｎ〕は、Ｅｎｔｒｙ〔Ｎ〕とＥｎｔｒｙ〔Ｎ＋１〕の間の９フレ
ームのための先頭番地を含んでいる。Ｓｕｂ＿Ｅｎｔｒｙ〔Ｎ〕〔Ｍ〕は、多重フレーム
〔Ｎ*Ｍａｉｎ＿Ｓｔｅｐ＿Ｓｉｚｅ＋Ｍ*Ｍａｉｎ＿Ｓｔｅｐ＿Ｓｉｚｅ１０〕の先頭番
地を含んでいる。Ｓｕｂ＿Ｅｎｔｒｙ〔Ｎ〕〔Ｍ〕はＥｎｔｒｙ〔ｎ〕と等しく、Ｄｅｔ
ａｉｌｅｄ＿Ｌｉｓｔ〔Ｎ〕の中でコード化されない。
【００５９】
図１１は、オーディオ情報がＤＳＤ方式により記録されたＳＡＣＤをレジューム再生や
リピート再生あるいはタイムサーチする際に必要な時間情報からアドレス情報に変換する
処理を説明するためのフローチャートである。
【００６０】
再生オーディオエリアがＤＳＴとＤＳＤの場合とでアドレス取得処理が異なる。ＤＳＴ
とＤＳＤは、Ａｒｅａ＿ＴＯＣ＿０．Ａｒｅａ＿Ｄａｔａ．Ａｒｅａ＿Ｆｌａｇｓの下位
４ビットで判断できる。
【００６１】
図１１を参照してＤＳＤ（１４セクタで３フレーム）の場合のアドレス取得処理につい
て説明する。先ず、トラックの再生時間をフレーム単位に変換する（ステップＳ１）。次
にフレーム値から以下の式（６）を用いてアドレスを取得する（ステップＳ２）。
【００６２】
アドレス＝（時間情報×１４）÷３＋スタートアドレス    ・・・  （６）          
ＤＳＤ（１６セクタで３フレーム）の場合は、次の式（７）を用いてアドレスを取得す
る。
【００６３】
アドレス＝（時間情報×１６）÷３＋スタートアドレス    ・・・  （７）
図１２は、オーディオ情報がＤＳＴ方式により記録されたＳＡＣＤをレジューム再生や
リピート再生あるいはタイムサーチする際に必要な時間情報からアドレス情報に変換する
処理を説明するためのフローチャートである。このフローチャートを参照して、オーディ
オ情報がＤＳＴ方式により記録されたＳＡＣＤにおいて時間情報からアドレス情報に変換
する処理を説明する。
【００６４】
先ず、ディスク内における再生時間をフレーム単位に変換する（ステップＳ１１）。次
に、エントリー番号（Ｅｎｔｒｙ＿Ｎｏ）を次の式（８）により取得する（ステップＳ１
２）。
【００６５】
Ｅｎｔｒｙ＿Ｎｏ＝ＴｉｍｅＣｏｄｅ／Ａｃｃｅｓｓ＿Ｌｉｓｔ．Ｍａｉｎ＿Ｓｔｅｐ
＿Ｓｉｚｅ      ・・・  （８）
次に、Ａｃｃｅｓｓ＿Ｌｉｓｔ．Ｍａｉｎ＿Ａｃｃ＿Ｌｉｓｔ〔Ｅｎｔｒｙ＿Ｎｏ〕．
Ａｃｃｅｓｓ  Ｆｌａｇｓの上位１ビットからＤｅｔａｉｌｅｄ＿Ｆｌａｇを取得する（
ステップＳ１３）。即ち、Ｄｅｔａｉｌｅｄ＿Ｆｌａｇ＝Ａｃｃｅｓｓ＿Ｌｉｓｔ．Ｍａ
ｉｎ＿Ａｃｃ＿Ｌｉｓｔ〔Ｅｎｔｒｙ＿Ｎｏ〕．Ａｃｃｅｓｓ  Ｆｌａｇｓ〔０〕＞＞７
・・・  （９）  となる。
【００６６】
そして、Ｄｅｔａｉｌｅｄ＿Ｆｒａｇが１の時は（ステップＳ１４）、Ｄｅｔａｉｌｅ
ｄ＿Ｌｉｓｔによるスタートアドレス（Ｓｔａｒｔ  Ａｄｄｒｅｓｓ）を取得する（ステ
ップＳ１５）。
【００６７】
次に、Ａｃｃｅｓｓ＿Ｆｌａｇｓ下位１５ビットからディテイルドリストポインタ（Ｄ
ｅｔａｉｌｅｄ＿Ｌｉｓｔ  Ｐｏｉｎｔｅｒ）を取得する（ステップＳ１６）。
【００６８】
Ｄｅｔａｉｌｅｄ＿Ｌｉｓｔ＝Ａｃｃｅｓｓ＿Ｌｉｓｔ．Ｍａｉｎ＿Ａｃｃ＿Ｌｉｓｔ
〔Ｅｎｔｒｙ＿Ｎｏ〕．Ａｃｃｅｓｓ  Ｆｌａｇｓ & ０ｘ７ＦＦＦ  ・・・  （１０）
となる。
【００６９】
この後、Ｄｅｔａｉｌｅｄ＿Ｌｉｓｔ  ＰｏｉｎｔｅｒのＳｕｂ＿Ｅｎｔｒｙからスタ
ートアドレス（Ｓｔａｒｔ  Ａｄｄｒｅｓｓ）を取得する（ステップＳ１７）。
【００７０】
スタートアドレス＝Ａｃｃｅｓｓ＿Ｌｉｓｔ．Ｄｅｔａｉｌｅｄ＿Ｌｉｓｔ〔Ｄｅｔａ
ｉｌｅｄ＿Ｌｉｓｔ〕．Ｓｕｂ＿Ｅｎｔｒｙ  ・・・  （１１）  となる。
【００７１】
一方、Ｄｅｔａｉｌｅｄ＿Ｆｌａｇが０の時は（ステップＳ１４）、Ａｃｃｅｓｓ＿Ｍ
ａｒｇｉｎによるスタートアドレス（Ｓｔａｒｔ  Ａｄｄｒｅｓｓ）を取得する（ステッ
プＳ１８）。次に、Ａｃｃｅｓｓ  Ｆｌａｇｓ下位１５ビットからアクセスマージン（Ａ
ｃｃｅｓｓ＿Ｍａｒｇｉｎ）を取得する（ステップＳ１９）。
【００７２】
Ａｃｃｅｓｓ＿Ｍａｒｇｉｎ＝Ａｃｃｅｓｓ＿Ｌｉｓｔ．Ｍａｉｎ＿Ａｃｃ＿Ｌｉｓｔ
〔Ｅｎｔｒｙ＿Ｎｏ〕．Ａｃｃｅｓｓ  Ｆｌａｇｓ & ０ｘ７ＦＦＦ  ・・・  （１２）
となる。
【００７３】
その後、メインアクセスリスト（Ｍａｉｎ  Ａｃｃｅｓｓ  Ｌｉｓｔ）のＥｎｔｒｙデ
ータからエントリアドレス（Ｅｎｔｒｙ  Ａｄｄｒｅｓｓ）を取得する（ステップＳ２０
）。
【００７４】
Ｅｎｔｒｙ＿Ａｄｄｒｅｓｓ〔０〕＝Ａｃｃｅｓｓ＿Ｌｉｓｔ．Ｍａｉｎ＿Ａｃｃ＿Ｌ
ｉｓｔ〔Ｅｎｔｒｙ＿Ｎｏ〕．Ｅｎｔｒｙ  ・・・  （１３）  となり、Ｅｎｔｒｙ＿Ａ
ｄｄｒｅｓｓ〔１〕＝Ａｃｃｅｓｓ＿Ｌｉｓｔ．Ｍａｉｎ＿Ａｃｃ＿Ｌｉｓｔ〔Ｅｎｔｒ
ｙ＿Ｎｏ＋１〕．Ｅｎｔｒｙ  ・・・  （１４）  となる。
【００７５】
次に、下記の式（１５）および式（１６）を用いてインタラプトアドレス（Ｉｎｔｅｒ
ｐ＿Ａｄｄｒｅｓｓ）を算出する（ステップＳ２１）。
【００７６】
Ｅｎｔｒｙ＿Ｍｏｄ＝ＴｉｍｅＣｏｄｅ％Ａｃｃｅｓｓ＿Ｌｉｓｔ．Ｍａｉｎ＿Ｓｔｅ
ｐ＿Ｓｉｚｅ    ・・・  （１５）
Ｉｎｔｅｒｐ＿Ａｄｄｒｅｓｓ＝Ｅｎｔｒｙ＿Ａｄｄｒｅｓｓ〔０〕＋（（Ｅｎｔｒｙ
＿Ｍｏｄ  *（Ｅｎｔｒｙ＿Ａｄｄｒｅｓｓ〔１〕−Ｅｎｔｒｙ＿Ａｄｄｒｅｓｓ〔０〕
））／（Ａｃｃｅｓｓ＿Ｌｉｓｔ．Ｍａｉｎ＿Ｓｔｅｐ＿Ｓｉｚｅ）  ・・・  （１６）
その後、Ｅｎｔｒｙ＿Ａｄｄｒｅｓｓ〔０〕とＩｎｔｅｒｐ＿Ａｄｄｒｅｓｓ−Ａｃｃ
ｅｓｓ＿Ｍａｒｇｉｎとの最大値を用いてアドレスを取得する（ステップＳ２２）。
【００７７】
アドレス＝Ｍａｘ（Ｅｎｔｒｙ＿Ａｄｄｒｅｓｓ〔０〕．Ｉｎｔｅｒｐ＿Ａｄｄｒｅｓ
ｓ−Ａｃｃｅｓｓ＿Ｍａｒｇｉｎ）  ・・・  （１７）
但し、Ｅｎｔｒｙ＿Ａｄｄｒｅｓｓ〔０〕がＡｃｃｅｓｓ＿Ｌｉｓｔ．Ｎ＿Ｅｎｔｒｙ
ｓと等しい時、前記式（１６）が次の式（１８）に変る。
【００７８】
Ｉｎｔｅｒｐ＿Ａｄｄｒｅｓｓ＝Ｅｎｔｒｙ＿Ａｄｄｒｅｓｓ〔０〕＋（（Ｅｎｔｒｙ
＿Ｍｏｄ  *（Ｔｒａｃｋ＿Ａｒｅａ＿Ｅｎｄ＿Ａｄｄｒｅｓｓ−Ｅｎｔｒｙ＿Ａｄｄｒ
ｅｓｓ〔０〕））／（１＋（（Ｔｏｔａｌ＿Ａｒｅａ＿Ｐｌａｙ＿Ｔｉｍｅ−１）％（Ａ
ｃｃｅｓｓ＿Ｌｉｓｔ．Ｍａｉｎ＿Ｓｔｅｐ＿Ｓｉｚｅ）））  ・・・  （１８）
図１３は本実施形態においてアクセスリストを用いて時間情報からアドレス情報を得る
場合の一例を説明するためのデータ構造図である。このデータ構造図を参照して時間情報
からアドレス情報を得る場合の一例を説明する。
【００７９】
図１３において、７１はメインアクセスリストを示し、７２はディテイルドリストを示
す。例えば、メインアクセスリスト７１のエントリーナンバーが「５」とすると、配列の
[５]番目をアクセスして、ここのデータを見に行きますという処理が行われる。この[５]
番目でアクセスフラグ（ａｃｃ＿ｆｌａｇ）の最上位ビットを検知し、そのアクセスフラ
グが「１」であるか「０」であるかを判定する。
【００８０】
アクセスフラグの最上位ビットが「１」の場合、例えば、[３]番目の最上位ビットが「
１」になるので、ここの残りの１５ビットのデータからディテイルドリスト７２を使う。
このディテイルドリスト７２には、実際の飛び先のアドレスが書かれている。例えば、前
記１５ビットのディテイルドリスト７２の[０]番目に書かれているデータを使って、その
データをアドレスとするように指示されている。
【００８１】
ディテイルドリスト７２は３バイトで区切られている。例えば、ディテイルドリスト７
２において、[０][１][２]の３バイト、[３][４][５]の３バイト、[４][５][６]の３バイ
ト、・・で区切られている。[０][１][２]の３バイトでは、３６６セクタ目「３６６」と
なり、この「３６６」が算出されたアドレス（時間情報からアドレス情報に変換したデー
タ）になる。
【００８２】
一方、アクセスフラグの最上位ビットが「０」の場合も、その下位１５ビットを取得す
る。例えば、メインアクセスリスト７１の[４]番目のアクセスフラグの下位１５ビットは
「１」になる。つまり、アクセスマージンが「１」になる。次に、メインアクセスリスト
のエントリー（ｅｎｔｒｙ）のデータを使う。例えば、メインアクセスリスト７１の[４]
番目のエントリーのデータと、エントリーナンバーに＋１した[５]番目のエントリーのデ
ータとを取得する。これが[５]番目で言うエントリーアドレス０と呼ばれていて、アドレ
スが１になる。その後は、前述した計算式（２），（３），（４），（５）を用いてアド
レスを求める。
【００８３】
図１４は本実施形態におけるアクセスリスト取得処理を要約して説明するためのフロー
チャートである。このフローチャートおよび図１を参照してアクセスリスト取得処理につ
いて説明する。
【００８４】
アクセスリストを保持するための例えば６５５３バイトの記憶領域をメモリ９に確保し
ておく。この光ディスク再生装置に挿入された光ディスクがＳＡＣＤであることをＳＡＣ
Ｄ認識手段１１１により認識されると（ステップＳ３１）、ディスク情報のアクセスリス
トがオーディオエリアに有るか否かがアクセスリスト有無判定手段１１２により判定され
（ステップＳ３２）、前記アクセスリストが有ると判定された場合に、アクセスリストが
アクセスリスト取得手段１１３により取得させ（ステップＳ３３）、本処理が終了する（
ステップＳ３４）。一方、前記アクセスリストが無いと判定された場合には（ステップＳ
３２）、本処理が終了する（ステップＳ３４）。
【００８５】
図１５は本実施形態におけるタイムサーチ処理を要約して説明するためのフローチャー
トである。このフローチャートおよび図１を参照してタイムサーチ処理について説明する
。
【００８６】
ユーザが操作部１２を操作してタイムサーチ要求が発生した時に、ユーザ要求の時間情
報が時間情報取得手段１１５により取得される（ステップＳ４１）。前記時間情報を取得
した後に、前記アクセスリスト有無判定手段１１２によりアクセスリストが有ると判定さ
れた場合に（ステップＳ４２）、前記アクセスリストを用いて前記時間情報がアドレス情
報にアドレス変換手段１１６により変換され（ステップＳ４３）、前記変換されたアドレ
ス情報のアドレスから再生が再生開始手段１１７により開始される（ステップＳ４４）。
【００８７】
一方、アクセスリスト有無判定手段１１２によりアクセスリストが無いと判定された場
合に（ステップＳ４２）、前述したような式（６），（７）により、３フレーム１４セク
タもしくは３フレーム１６セクタの関係から時間情報からアドレスに変換する処理が行わ
れる（ステップＳ４５）。そして、その変換されたアドレスから再生が再生開始手段１１
７により開始される（ステップＳ４４）。
【００８８】
なお、ここの説明では、タイムサーチ処理について説明したが、これに限らず、レジュ
ーム再生要求やリピート再生要求があったときも同様な処理が行われる。
【００８９】
以上説明したように本実施形態によれば、ディスク情報のアクセスリストを用いて時間
情報からアドレス情報に変換するので、正確なアドレスを取得でき、ＳＡＣＤに対するレ
ジューム再生やリピート再生あるいはタイムサーチを精度良く行うことができる。
【図面の簡単な説明】
【００９０】
【図１】本発明の一実施形態に係る光ディスク再生装置の構成を示すブロック図である。
【図２】前記実施形態においてＳＡＣＤにおけるディスクエリアの構造を示す図である。
【図３】図２中の例えば２チャンネルエリア内のオーディオエリアの構造を示す図である。
【図４】図３中の例えばＴＯＣ−１エリア内のＴＯＣエリアの構造を示す図である。
【図５】図２中のマスターＴＯＣエリアの構造を示す図である。
【図６】前記実施形態において用いられるアクセスリストの構造を示す図である。
【図７】図６中に示すＭａｉｎ＿Ａｃｃ＿Ｌｉｓｔの構造を示す図である。
【図８】図７中のＡｃｃｅｓｓ＿Ｆｌａｇｓが定義されるアクセスリストの構造を示す図である。
【図９】前記実施形態においてＤｅｔａｉｌｅｄ＿Ａｃｃｅｓｓの構造を示す図である。
【図１０】前記実施形態においてＤｅｔａｉｌｅｄ＿Ｌｉｓｔの構造を示す図である。
【図１１】前記実施形態においてオーディオ情報がＤＳＤ方式により記録されたＳＡＣＤをレジューム再生やリピート再生あるいはタイムサーチする際に必要な時間情報からアドレス情報に変換する処理を説明するためのフローチャートである。
【図１２】前記実施形態においてオーディオ情報がＤＳＴ方式により記録されたＳＡＣＤをレジューム再生やリピート再生あるいはタイムサーチする際に必要な時間情報からアドレス情報に変換する処理を説明するためのフローチャートである。
【図１３】前記実施形態においてアクセスリストを用いて時間情報からアドレス情報を得る場合の一例を説明するためのデータ構造図である。
【図１４】前記実施形態におけるアクセスリスト取得処理を要約して説明するためのフローチャートである。
【図１５】前記実施形態におけるタイムサーチ処理を要約して説明するためのフローチャートである。
【符号の説明】
【００９１】
１    光ディスク
１１    システムコントローラ
１１１    ＳＡＣＤ認識手段
１１２    アクセスリスト有無判定手段
１１３    アクセスリスト取得手段
１１４    アクセスリスト取得制御部
１１５    時間情報取得手段
１１６    アドレス変換手段
１１７    再生開始手段
１１８    再生制御部
【図１】
2005166181.tif 000003
【図２】
2005166181.tif 000004
【図３】
2005166181.tif 000005
【図４】
2005166181.tif 000006
【図５】
2005166181.tif 000007
【図６】
2005166181.tif 000008
【図７】
2005166181.tif 000009
【図８】
2005166181.tif 000010
【図９】
2005166181.tif 000011
【図１０】
2005166181.tif 000012
【図１１】
2005166181.tif 000013
【図１２】
2005166181.tif 000014
【図１３】
2005166181.tif 000015
【図１４】
2005166181.tif 000016
【図１５】
2005166181.tif 000017